(57)【要約】【課題】パワーコンディショナと変圧器などを太陽電池パネルの下方に配置する等して、「発電量の増加」や「運搬の容易化」を実現する。【解決手段】太陽電池パネル２と、太陽電池パネル２からの直流電流を低圧交流電流Ｌに変換するパワーコンディショナ３と、パワーコンディショナ３からの低圧交流電流Ｌをより高圧な高圧交流電流Ｈに変圧する変圧器４と、変圧器４からの高圧交流電流Ｈを送電する送電部５を有した太陽光発電システム１である。パワーコンディショナ３と変圧器４が太陽電池パネル２の下方に配置されていたり、送電部５も太陽電池パネル２の下方に配置されていたり、パワーコンディショナ３と変圧器４が太陽電池パネル２の下方で、且つ、太陽電池パネル２の設置面Ｐと当該太陽電池パネル２との間に配置されていたり、パワーコンディショナ３と変圧器４がそれぞれ異なる太陽電池パネル２の下方に配置されていても良い。【選択図】図１
2019140889.tif 000002
【特許請求の範囲】
【請求項１】
太陽電池パネル（２）と、この太陽電池パネル（２）からの直流電流を低圧交流電流（Ｌ）に変換するパワーコンディショナ（３）と、このパワーコンディショナ（３）からの低圧交流電流（Ｌ）をより高圧な高圧交流電流（Ｈ）に変圧する変圧器（４）と、この変圧器（４）からの高圧交流電流（Ｈ）を送電する送電部（５）を有した太陽光発電システムであって、
少なくとも前記パワーコンディショナ（３）と変圧器（４）が、前記太陽電池パネル（２）の下方に配置されていることを特徴とする太陽光発電システム。
【請求項２】
前記送電部（５）も、前記太陽電池パネル（２）の下方に配置されていることを特徴とする請求項１に記載の太陽光発電システム。
【請求項３】
少なくとも前記パワーコンディショナ（３）と変圧器（４）が、前記太陽電池パネル（２）の下方で、且つ、前記太陽電池パネル（２）の設置面（Ｐ）と、当該太陽電池パネル（２）との間に配置されていることを特徴とする請求項１又は２に記載の太陽光発電システム。
【請求項４】
少なくとも前記パワーコンディショナ（３）と変圧器（４）を備えた配電盤（１００）を複数有し、
これらの複数の前記配電盤（１００）が、前記太陽電池パネル（２）の下方で、且つ、分散して配置されていることを特徴とする請求項１〜３の何れか１項に記載の太陽光発電システム。
【請求項５】
前記太陽電池パネル（２）は複数あり、
少なくとも前記パワーコンディショナ（３）と変圧器（４）が、それぞれ異なる前記太陽電池パネル（２）の下方に配置されていることを特徴とする請求項１に記載の太陽光発電システム。
【請求項６】
太陽電池パネル（２）と、この太陽電池パネル（２）からの直流電流を低圧交流電流（Ｌ）に変換するパワーコンディショナ（３）と、このパワーコンディショナ（３）からの低圧交流電流（Ｌ）をより高圧な高圧交流電流（Ｈ）に変圧する変圧器（４）と、この変圧器（４）からの高圧交流電流（Ｈ）を送電する送電部（５）を有した太陽光発電システムであって、
少なくとも前記変圧器（４）と送電部（５）が、前記太陽電池パネル（２）の下方に配置されていることを特徴とする太陽光発電システム。
【請求項７】
前記太陽電池パネル（２）は複数あり、
前記パワーコンディショナ（３）は、前記変圧器（４）と送電部（５）が下方に配置された太陽電池パネル（２）とは異なる太陽電池パネル（２）の下方に配置されていることを特徴とする請求項６に記載の太陽光発電システム。
【請求項８】
少なくとも前記変圧器（４）と送電部（５）が、前記太陽電池パネル（２）の下方で、且つ、前記太陽電池パネル（２）の設置面（Ｐ）と、当該太陽電池パネル（２）との間に配置されていることを特徴とする請求項６又は７に記載の太陽光発電システム。
【請求項９】
少なくとも前記変圧器（４）と送電部（５）を備えた配電盤（１００’）を複数有し、
これらの複数の前記配電盤（１００’）が、前記太陽電池パネル（２）の下方で、且つ、分散して配置されていることを特徴とする請求項６〜８の何れか１項に記載の太陽光発電システム。
【請求項１０】
前記変圧器（４）の高さは、１５００ｍｍ以下であることを特徴とする請求項１〜９の何れか１項に記載の太陽光発電システム。
【請求項１１】
入力された交流電流を、より高圧な交流電流に変圧する変圧器であって、
当該変圧器の高さは、１５００ｍｍ以下であることを特徴とする変圧器。
【請求項１２】
盤筐体（１０）と、この盤筐体（１０）外からの直流電流又は交流電流を低圧交流電流（Ｌ）に変換するパワーコンディショナ（３）と、このパワーコンディショナ（３）からの低圧交流電流（Ｌ）をより高圧な高圧交流電流（Ｈ）に変圧する変圧器（４）と、この変圧器（４）からの高圧交流電流（Ｈ）を盤筐体（１０）外へ送電する送電部（５）を備えた配電盤であって、
前記盤筐体（１０）内には前記送電部（５）が設けられ、
前記盤筐体（１０）外には前記変圧器（４）が設けられると共に、
前記盤筐体（１０）外には前記パワーコンディショナ（３）が、当該盤筐体（１０）とは別のパワコン筐体（１１）に内蔵された状態で設けられていることを特徴とする配電盤。
【請求項１３】
盤筐体（２０）と、この盤筐体（２０）外からの直流電流又は交流電流を低圧交流電流（Ｌ）に変換するパワーコンディショナ（３）と、このパワーコンディショナ（３）からの低圧交流電流（Ｌ）をより高圧な高圧交流電流（Ｈ）に変圧する変圧器（４）と、この変圧器（４）からの高圧交流電流（Ｈ）を盤筐体（２０）外へ送電する送電部（５）を備えた配電盤であって、
前記盤筐体（２０）内には前記パワーコンディショナ（３）及び送電部（５）が設けられ、
前記盤筐体（２０）に外から前記変圧器（４）が取り付けられ、
前記パワーコンディショナ（３）から変圧器（４）へ低圧交流電流（Ｌ）を流す低圧ケーブル（６Ｌ）と、前記変圧器（４）から送電部（５）へ高圧交流電流（Ｈ）を流す高圧ケーブル（６Ｈ）を有し、
前記変圧器（４）及び送電部（５）は、この順で所定方向に並んで配置されていると共に、
前記パワーコンディショナ（３）は、前記変圧器（４）及び送電部（５）の所定方向と平面視で略直交する方向上に配置されていることを特徴とする配電盤。
【請求項１４】
盤筐体（１０’）と、この盤筐体（１０’）外からの低圧交流電流（Ｌ）をより高圧な高圧交流電流（Ｈ）に変圧する変圧器（４）と、この変圧器（４）からの高圧交流電流（Ｈ）を盤筐体（１０’）外へ送電する送電部（５）を備えた配電盤であって、
前記盤筐体（１０’）内には前記送電部（５）が設けられ、
前記盤筐体（１０’）外には前記変圧器（４）が設けられていることを特徴とする配電盤。
【発明の詳細な説明】
【技術分野】
【０００１】
本発明は、太陽電池パネルからの直流電流を低圧交流電流に変換するパワーコンディショナと、パワーコンディショナからの低圧交流電流をより高圧な高圧交流電流に変圧する変圧器と、変圧器からの高圧交流電流を送電する送電部を有した太陽光発電システムや、入力された交流電流をより高圧な交流電流に変圧する変圧器、そして、盤筐体外からの直流電流を低圧交流電流に変換するパワーコンディショナと、パワーコンディショナからの低圧交流電流をより高圧な高圧交流電流に変圧する変圧器と、変圧器からの高圧交流電流を盤筐体外へ送電する送電部を有した配電盤に関する。
【背景技術】
【０００２】
従来、複数の太陽電池パネルを有した太陽光発電システムが知られている（特許文献１参照）。
この太陽光発電システムの設置構造は、複数の太陽電池パネルを接続した太陽電池アレイと、当該太陽電池アレイを固定した架台とを備えた太陽電池アレイ構造体が、複数配列されており、隣り合う太陽電池アレイ構造体同士の間に形成された間隔は、作業者が作業を行うための作業スペースの幅未満、または、上記作業者が通行するための通行スペースの幅未満に設定され、上記隣り合う太陽電池アレイ構造体の少なくとも一方は、上記架台の設置面に対する上記太陽電池アレイの傾斜角度を変化させることにより、上記間隔を、上記作業スペースの幅以上または上記通行スペースの幅以上に広げる可動部を備えている。
【先行技術文献】
【特許文献】
【０００３】
【特許文献１】特開２０１８−１１４８４号公報
【発明の概要】
【発明が解決しようとする課題】
【０００４】
しかしながら、特許文献１に記載された太陽光発電システムは、パワーコンディショナ（直流交流変換機）またはトランス（電圧変換機）が、特許文献１の図１５〜２１で示された白い建造物内に収納されることとなり、特許文献１の段落００７１に記載されたように、これらの建造物はサイズが大きいため、建造物の影が太陽電池パネルにかからないように、わざわざ交差スペースＳを設けなくてはならない。
つまり、特許文献１の太陽光発電システムは、交差スペースＳを設けた分だけ、太陽電池パネルを設置することが出来ず、その分、太陽光発電システムの発電量が減少する。
更に、特許文献１の太陽光発電システムは、ゴルフ場跡地や山間部の土地など、パワーコンディショナやトランスを収納する建造物を搬入する道路が狭い場合には、その建造物が大きいため、太陽光発電システムを設置する場所に、そもそも建造物を運搬することが困難となる。
【０００５】
本発明は、このような点に鑑み、パワーコンディショナと変圧器などを太陽電池パネルの下方に配置する等によって、「発電量の増加」や「運搬の容易化」を図れる太陽光発電システム、変圧器、及び、配電盤を提供することを目的とする。
【課題を解決するための手段】
【０００６】
本発明に係る太陽光発電システム１は、太陽電池パネル２と、この太陽電池パネル２からの直流電流を低圧交流電流Ｌに変換するパワーコンディショナ３と、このパワーコンディショナ３からの低圧交流電流Ｌをより高圧な高圧交流電流Ｈに変圧する変圧器４と、この変圧器４からの高圧交流電流Ｈを送電する送電部５を有した太陽光発電システムであって、少なくとも前記パワーコンディショナ３と変圧器４が、前記太陽電池パネル２の下方に配置されていることを第１の特徴とする。
【０００７】
本発明に係る太陽光発電システム１の第２の特徴は、上記第１の特徴に加えて、前記送電部５も、前記太陽電池パネル２の下方に配置されている点にある。
【０００８】
本発明に係る太陽光発電システム１の第３の特徴は、上記第１又は２の特徴に加えて、少なくとも前記パワーコンディショナ３と変圧器４が、前記太陽電池パネル２の下方で、且つ、前記太陽電池パネル２の設置面Ｐと、当該太陽電池パネル２との間に配置されている点にある。
【０００９】
本発明に係る太陽光発電システム１の第４の特徴は、上記第１〜３の特徴に加えて、少なくとも前記パワーコンディショナ３と変圧器４を備えた配電盤１００を複数有し、これらの複数の前記配電盤１００が、前記太陽電池パネル２の下方で、且つ、分散して配置されている点にある。
【００１０】
本発明に係る太陽光発電システム１の第５の特徴は、上記第１の特徴に加えて、前記太陽電池パネル２は複数あり、少なくとも前記パワーコンディショナ３と変圧器４が、それぞれ異なる前記太陽電池パネル２の下方に配置されている点にある。
【００１１】
本発明に係る太陽光発電システム１の第６の特徴は、太陽電池パネル２と、この太陽電池パネル２からの直流電流を低圧交流電流Ｌに変換するパワーコンディショナ３と、このパワーコンディショナ３からの低圧交流電流Ｌをより高圧な高圧交流電流Ｈに変圧する変圧器４と、この変圧器４からの高圧交流電流Ｈを送電する送電部５を有した太陽光発電システムであって、少なくとも前記変圧器４と送電部５が、前記太陽電池パネル２の下方に配置されている点にある。
【００１２】
本発明に係る太陽光発電システム１の第７の特徴は、上記第６の特徴に加えて、前記太陽電池パネル２は複数あり、前記パワーコンディショナ３は、前記変圧器４と送電部５が下方に配置された太陽電池パネル２とは異なる太陽電池パネル２の下方に配置されている点にある。
【００１３】
本発明に係る太陽光発電システム１の第８の特徴は、上記第６又は７の特徴に加えて、少なくとも前記変圧器４と送電部５が、前記太陽電池パネル２の下方で、且つ、前記太陽電池パネル２の設置面Ｐと、当該太陽電池パネル２との間に配置されている点にある。
【００１４】
本発明に係る太陽光発電システム１の第９の特徴は、上記第６〜８の特徴に加えて、少なくとも前記変圧器４と送電部５を備えた配電盤１００’を複数有し、これらの複数の前記配電盤１００’が、前記太陽電池パネル２の下方で、且つ、分散して配置されている点にある。
【００１５】
本発明に係る太陽光発電システム１の第１０の特徴は、上記第１〜９の特徴に加えて、前記変圧器４の高さは、１５００ｍｍ以下である点にある。
【００１６】
これらの特徴により、少なくともパワーコンディショナ３と変圧器４を、太陽電池パネル２の下方に配置することによって、特許文献１とは異なり、パワーコンディショナ３と変圧器４等を備えた配電盤１００の影が太陽電池パネル２にかかることがなく、そのためのスペースを設ける必要がないため、その分、太陽電池パネル２をより多く設置することが出来、太陽光発電システム１の発電量が増加する（「発電量の増加」）。
そして、パワーコンディショナ３や変圧器４等の配電盤１００は、太陽電池パネル２の下方に配置できるほど小型化されていることから、太陽光発電システム１を、ゴルフ場跡地や山間部の土地などに設置する際に配電盤１００を搬入する道路が狭い場合であっても、容易に運搬することが可能となる（「運搬の容易化」）。
尚、本発明においては、少なくともパワーコンディショナ３と変圧器４を太陽電池パネル２の下方に配置することを「パネル下方配置」であるとも言う。
【００１７】
又、送電部５も、太陽電池パネル２の下方に配置することによって、送電部５による影もなくなるため、その分、より多くの太陽電池パネル２を設置することが可能となり、更なる「発電量の増加」が図れる。
【００１８】
更に、少なくともパワーコンディショナ３と変圧器４を、太陽電池パネル２の下方で、且つ、太陽電池パネル２とその設置面Ｐとの間に配置することによって、太陽電池パネル２と設置面Ｐの間のデッドスペースを有効活用できる。
尚、本発明における「太陽電池パネル２の設置面Ｐ」とは、太陽電池パネル２が設置されている面であれば、地面や、工場・ビルなどの建物の上面（屋上の面）、住宅の屋根の上面など、何れの面であっても良い。
又、本発明においては、少なくともパワーコンディショナ３と変圧器４を、太陽電池パネル２の下方で、且つ、太陽電池パネル２とその設置面Ｐとの間に配置することは、上述した「パネル下方配置」の中でも、特に「設置面・パネル下方配置」であるとも言える。
【００１９】
そして、少なくともパワーコンディショナ３と変圧器４を備えた配電盤１００を複数有し、複数の配電盤１００を、太陽電池パネル２の下方で、且つ、分散して配置することによって、特許文献１の図１５〜２１のように、パワーコンディショナやトランスを収納する建造物を、太陽光発電システムの略中央に１カ所だけに設けた場合、この建造物から遠い位置にある太陽電池パネルが最も多くなり、これらの太陽電池パネルと建造物との接続するケーブルが非常に長大となる場合とは異なり、複数の配電盤１００ごとに、その周辺の太陽電池パネル２からのケーブルを接続するだけで良く、ケーブルの短縮化が図れる。
尚、本発明においては、複数の配電盤１００を、太陽電池パネル２の下方で、且つ、分散して配置することは、上述した「パネル下方配置」の中でも、特に「パネル下方分散配置」であるとも言える。
【００２０】
その他、少なくともパワーコンディショナ３と変圧器４を、それぞれ異なる太陽電池パネル２の下方に配置することによって、複数ある太陽電池パネル２の下方をより効率良く利用でき、更なる「発電量の増加」と「運搬の容易化」が図れる。
これと同時に、パワーコンディショナ３と変圧器４を別々に運搬できるため、搬入する道路が狭い場合であっても、異なる太陽電池パネル２の下方へ設置し易くなる（「設置の容易化」）。
【００２１】
その他、少なくとも変圧器４と送電部５を、太陽電池パネル２の下方に配置することによっても、特許文献１とは異なり、変圧器４と送電部５等を備えた配電盤１００’の影が太陽電池パネル２にかかることがなく、そのためのスペースを設ける必要がないため、その分、太陽電池パネル２をより多く設置することが出来、「発電量の増加」が図られると同時に、変圧器４と送電部５等を備えた配電盤１００’は、太陽電池パネル２の下方に配置できるほど小型化されていることから、太陽光発電システム１を、ゴルフ場跡地や山間部の土地などに設置する際に配電盤１００を搬入する道路が狭い場合であっても、「運搬の容易化」が実現できる。
尚、本発明においては、少なくとも変圧器４と送電部５を太陽電池パネル２の下方に配置することも「パネル下方配置」であるとも言う。
【００２２】
その他、パワーコンディショナ３を、変圧器４と送電部５が下方に配置された太陽電池パネル２とは異なる太陽電池パネル２の下方に配置することによって、変圧器４と送電部５等を備えた配電盤１００’が更に小型化でき、更なる「運搬の容易化」や「設置の容易化」が図れる。
その他、少なくとも変圧器４と送電部５を、太陽電池パネル２の下方で、且つ、太陽電池パネル２の設置面Ｐと、当該太陽電池パネル２との間に配置したり、少なくとも変圧器４と送電部５を備えた配電盤１００’を複数有し、複数の配電盤１００’を、太陽電池パネル２の下方で、且つ、分散して配置しても良い。
尚、変圧器４の高さを、１５００ｍｍ以下としても良い。
【００２３】
本発明に係る変圧器４は、入力された交流電流を、より高圧な交流電流に変圧する変圧器であって、当該変圧器の高さは、１５００ｍｍ以下であることを第１の特徴とする。
【００２４】
この特徴により、変圧器４の高さを１５００ｍｍ以下とすることによって、このような変圧器４を備えた配電盤１００を太陽電池パネル２の下方に配置し易くなる。
【００２５】
本発明に係る配電盤１００は、盤筐体１０と、この盤筐体１０外からの直流電流又は交流電流を低圧交流電流Ｌに変換するパワーコンディショナ３と、このパワーコンディショナ３からの低圧交流電流Ｌをより高圧な高圧交流電流Ｈに変圧する変圧器４と、この変圧器４からの高圧交流電流Ｈを盤筐体１０外へ送電する送電部５を備えた配電盤であって、前記盤筐体１０内には前記送電部５が設けられ、前記盤筐体１０外には前記変圧器４が設けられると共に、前記盤筐体１０外には前記パワーコンディショナ３が、当該盤筐体１０とは別のパワコン筐体１１に内蔵された状態で設けられていることを第１の特徴とする。
【００２６】
本発明に係る配電盤１００の第２の特徴は、盤筐体２０と、この盤筐体２０外からの直流電流又は交流電流を低圧交流電流Ｌに変換するパワーコンディショナ３と、このパワーコンディショナ３からの低圧交流電流Ｌをより高圧な高圧交流電流Ｈに変圧する変圧器４と、この変圧器４からの高圧交流電流Ｈを盤筐体２０外へ送電する送電部５を備えた配電盤であって、前記盤筐体２０内には前記パワーコンディショナ３及び送電部５が設けられ、前記盤筐体２０に外から前記変圧器４が取り付けられ、前記パワーコンディショナ３から変圧器４へ低圧交流電流Ｌを流す低圧ケーブル６Ｌと、前記変圧器４から送電部５へ高圧交流電流Ｈを流す高圧ケーブル６Ｈを有し、前記変圧器４及び送電部５は、この順で所定方向に並んで配置されていると共に、前記パワーコンディショナ３は、前記変圧器４及び送電部５の所定方向と平面視で略直交する方向上に配置されている点にある。
【００２７】
本発明に係る配電盤１００’の第３の特徴は、盤筐体１０’と、この盤筐体１０’外からの低圧交流電流Ｌをより高圧な高圧交流電流Ｈに変圧する変圧器４と、この変圧器４からの高圧交流電流Ｈを盤筐体１０’外へ送電する送電部５を備えた配電盤であって、前記盤筐体１０’内には前記送電部５が設けられ、前記盤筐体１０’外には前記変圧器４が設けられている点にある。
【００２８】
これらの特徴により、盤筐体１０内に送電部５を設け、盤筐体１０外に変圧器４を設けることによって、盤筐体１０内で送電部５だけを冷却すれば良く、変圧器４も盤筐体１０内に設けた場合より冷却に要する電力が抑えられると共に、盤筐体１０外にパワーコンディショナ３を当該盤筐体１０とは別のパワコン筐体１１に内蔵された状態で設けることによって、パワーコンディショナ３の容量変化に対応し易く（例えば、パワーコンディショナ３の容量が増加した場合でも、当該容量に応じたパワーコンディショナ３を内蔵するパワコン筐体１１を、新たに盤筐体１０に取り付けるだけで良い等）、これと同時に、取り付けたパワーコンディショナ３の防水性はパワコン筐体１１によって確保できる。
又、盤筐体２０内にパワーコンディショナ３と送電部５を設け、盤筐体２０に外から変圧器４を取り付けることによって、盤筐体２０内でパワーコンディショナ３と送電部５だけを冷却すれば良く、変圧器４も盤筐体２０内に設けた場合より冷却に要する電力が抑えられると共に、低圧交流電流Ｌを流す低圧ケーブル６Ｌと高圧交流電流Ｈを流す高圧ケーブル６Ｈを有し、変圧器４と送電部５を、この順で所定方向に並んで配置し、パワーコンディショナ３を、変圧器４及び送電部５の所定方向と平面視で略直交する方向上に配置することによって、盤筐体２０内で、送電部５がパワーコンディショナ３とは別方向から変圧器４に近接した位置に配置することが可能となり、その結果、盤筐体２０内において、送電部５から変圧器４への高圧ケーブル６Ｈが、パワーコンディショナ３から変圧器４への低圧ケーブル６Ｌと平面視で重ならず、且つ、高圧ケーブル６Ｈも短くて済むため、使用者による点検等の際に、高圧部分と不用意に接触する可能性が減る（「メンテナンス性の向上」と「不用意な接触の抑制」）。
その他、盤筐体１０’内に送電部５を設け、盤筐体１０’外に変圧器４を設けることによって、盤筐体１０’内で送電部５だけを冷却すれば良く、変圧器４も盤筐体１０’内に設けた場合より冷却に要する電力が抑えられると共に、盤筐体１０’内にパワーコンディショナ３が内蔵される等をしていないため、当該盤筐体１０とは別のパワコン筐体１１内にパワーコンディショナ３を内蔵して設けたり、変圧器４と送電部５が下方に配置された太陽電池パネル２とは異なる太陽電池パネル２の下方に、パワーコンディショナ３を配置することも可能となり、パワーコンディショナ３の容量変化に対応し易い（例えば、パワーコンディショナ３の容量が増加した場合でも、当該容量に応じたパワーコンディショナ３を内蔵するパワコン筐体１１を、新たに盤筐体１０’に取り付けたり、異なる太陽電池パネル２の下方にパワーコンディショナ３を増設するだけで良い等）。
【発明の効果】
【００２９】
本発明に係る配電盤によると、パワーコンディショナと変圧器などを太陽電池パネルの下方に配置する等によって、「発電量の増加」や「運搬の容易化」を実現できる。
【図面の簡単な説明】
【００３０】
【図１】本発明の第１実施形態に係る太陽光発電システムを示す概要図である。
【図２】第１実施形態の太陽光発電システムと、本発明の第１実施形態に係る配電盤と、その変圧器を示す正面図である。
【図３】第１実施形態の太陽光発電システムと、第１実施形態の配電盤と変圧器を示す左側面図である。
【図４】第１実施形態の太陽光発電システムと、第１実施形態の配電盤と変圧器を示す右側面図である。
【図５】第１実施形態の配電盤と変圧器を示す背面図である。
【図６】第１実施形態の配電盤と変圧器を示す平面図である。
【図７】本発明の第２実施形態に係る配電盤を示す平面図である。
【図８】本発明の第２実施形態に係る太陽光発電システムを示す概要図である。
【図９】第２実施形態の太陽光発電システムと、本発明の第３実施形態に係る配電盤と、その変圧器を示す正面図である。
【図１０】第２実施形態の太陽光発電システムと、第３実施形態の配電盤と変圧器を示す左側面図である。
【図１１】第２実施形態の太陽光発電システムと、第３実施形態の配電盤と変圧器を示す右側面図である。
【図１２】第３実施形態の配電盤と変圧器を示す背面図である。
【図１３】第３実施形態の配電盤と変圧器を示す平面図である。
【図１４】第２実施形態の太陽光発電システムと、本発明の第４実施形態に係る配電盤と、その変圧器を示す正面図である。
【図１５】第２実施形態の太陽光発電システムと、第４実施形態の配電盤と変圧器を示す左側面図である。
【図１６】第２実施形態の太陽光発電システムと、第４実施形態の配電盤と変圧器を示す右側面図である。
【図１７】第４実施形態の配電盤と変圧器を示す平面図である。
【発明を実施するための形態】
【００３１】
以下、本発明の実施形態を、図面を参照して説明する。
＜第１実施形態の太陽光発電システム１の全体構成＞
図１〜３には、本発明の第１実施形態に係る太陽光発電システム１が示されている。
この太陽光発電システム１は、太陽電池パネル２と、パワーコンディショナ３と、変圧器４と、送電部５を有している。
【００３２】
第１実施形態の太陽光発電システム１は、少なくともパワーコンディショナ３と変圧器４を備え、更には、送電部５や盤筐体１０、２０も備えた配電盤１００を有していても良く、この他、送電盤Ｍや、この送電盤Ｍと鉄塔や電柱等を末端とする配電網Ｎを導通する配電ケーブルＧ、この配電ケーブルＧを流れる電力量を測る電力量計を有していても構わない。
尚、この電力量計は、配電網Ｎへ売電する時だけでなく、配電網Ｎから買電する時にも設けられる。
【００３３】
１つの第１実施形態の太陽光発電システム１は、太陽電池パネル２やパワーコンディショナ３、変圧器４、送電部５、配電盤１００等を、それぞれ複数有していても良い。
更に、太陽電池パネル２等が複数の場合、太陽光発電システム１は、複数の太陽電池パネル２のうち所定数ごとと導通する複数の接続箱（遮断機等付き）を有していても構わず、各配電盤１００は、これら複数の接続箱と導通することとなるが、この接続箱の機能が配電盤１００に内蔵されていても良く、この場合、各配電盤１００は、複数の太陽電池パネル２のうち所定数ごとと直接導通することとなる。
【００３４】
又、最終的に送電盤Ｍから配電網Ｎへ送電する時の電圧は、売電や買電が可能な電圧（例えば、６６００Ｖ等）でも良いが、更に高圧（例えば、特別高圧（特高）として、例えば、２２０００Ｖ等）であっても構わない。この場合は、送電盤Ｍは、特高まで昇圧する変圧器（特高）を備えている。
又、太陽電池パネル２、配電盤１００、送電盤Ｍ等は、設置する土地の広さ・形状に応じて配列するが、例えば、１つの配電盤１００の発電力を、例えば、１５００ｋＷ（各パワーコンディショナ３当たり２５０ｋＷ）とし、この配電盤１００を複数台（例えば、３０台以上で１５０００ｋＷ（１５ＭＷ）以上、６０台で３００００ｋＷ（３０ＭＷ））設けた太陽光発電システム１としても良い。
このような第１実施形態の太陽光発電システム１のうち、まずはパワーコンディショナ３と変圧器４等を備えた配電盤１００について、詳解する。
【００３５】
＜配電盤１００の第１実施形態＞
図２〜６には、本発明の第１実施形態に係る配電盤１００が示されている。
この第１実施形態の配電盤１００は、上述したように、少なくともパワーコンディショナ３と変圧器４を備えており、その他、盤筐体１０と、送電部５を備えているとも言える。
【００３６】
これら以外にも、配電盤１００は、逆流防止ダイオード１２や、開閉器１３などを備えていたり、更には、遮断機（ブレーカ）、ヒューズ、リレー（継電器）、ケーブル（配線コード）、端子、コネクタ等の電気機器や、センサ（電流計、電圧計）、ＣＰＵ等の電子機器なども、盤筐体１０内に内蔵される状態で備えていても構わない。
尚、第１実施形態の配電盤１００は、複数の交流ケーブル（交流電流を流すケーブル）を集電する部分は有していないが、複数の直流ケーブル（直流電流を流すケーブル）を集電する部分（謂わば、直流集電部）は有していても良い。
【００３７】
配電盤１００は、上述した盤筐体１０内には送電部５が設けられ、盤筐体１０外には変圧器４が設けられると共に、盤筐体１０外にはパワーコンディショナ３も設けられている。
又、配電盤１００は、盤筐体１０内の空気を循環させるエアコンと、無停電電源装置（ＵＰＳ）、上述したパワーコンディショナ３やエアコン、ＵＰＳ等に電流を供給する補機も有していても良い。
【００３８】
ここで、配電盤１００のパワーコンディショナ３へ盤筐体１０外から直流電流を供給するのは、後述する太陽光発電システム１の場合は、太陽電池パネル２であるが、太陽光発電システム１以外の場合は、風力、水力、波力等によって回転される発電機（モータ）からの電流となる。
尚、このモータからの出力電流が交流であれば、パワーコンディショナ３は、交流を直流に変換するコンバータ装置と、この直流を交流に変換するインバータ装置の両方を備えていれば良く、出力電流が直流であれば、パワーコンディショナ３はインバータ装置だけを備えていれば良いが、以下は、太陽電池パネル２のように、直流電流がパワーコンディショナ３へ流れ込む場合を述べる。
【００３９】
＜太陽電池パネル２など＞
図１〜４に示したように、太陽電池パネル２は、パネル状（平板状）であって、光が照射されることによって、正極（＋極）と負極（−極）の間に直流電力を発生し、発生する電力の平均は、約１００〜３００Ｗ（例えば、２５０Ｗ）である。
これらのうち、ある太陽電池パネル２の＋極に別の太陽電池パネル２の−極を接続し、別の太陽電池パネル２の＋極にまた別の太陽電池パネル２の−極を接続し、以下、これを繰り返して、複数枚（例えば、５〜２０枚）の太陽電池パネル２を直列に接続して、１本の太陽電池ストリング２’となる。
【００４０】
このように、複数枚の太陽電池パネル２が直列に繋がった太陽電池ストリング２’全体としての＋極（電力出力端）と、−極（グランド端）の間の電圧は、各太陽電池パネル２で発生された直流電圧の和であって、天候、時刻や、各太陽電池パネル２の劣化、故障、設置位置のズレなどで変動するが、約２００〜１０００Ｖとなる。
又、太陽電池ストリング２’の電力出力端から出力される電力は、各太陽電池パネル２の電力の和であって、約５００〜６０００Ｗ（例えば、出力電力が２５０Ｗの太陽電池パネル２を１４枚接続した場合、３５００Ｗ＝３．５ｋＷ）となる。
【００４１】
ここで、太陽電池パネル２を直列に接続するということは、それらの太陽電池パネル２のうち１つでも不具合のある太陽電池パネル２が発生すると、その太陽電池パネル２において電流が遮断されてしまい、他の太陽電池パネル２により発電された電力を出力することが困難となる。
そのため、直列に接続された太陽電池パネル２ごとに、バイパスダイオード（図示省略）を設けることで、不具合の発生した太陽電池パネル２を、電流が、バイパス（迂回）するように構成される。
【００４２】
尚、このバイパスダイオードは、太陽電池パネル２に対して、その−極から＋極へ電流が流れる向きに並列に接続され、詳しくは、バイパスダイオードのカソード（陰極）が、太陽電池パネル２の＋極に接続され、バイパスダイオードのアノード（陽極）が、太陽電池パネル２の−極に接続される。
このような太陽電池パネル２を設置する際の架台１４について、以下に述べる。
【００４３】
＜架台１４＞
図１〜４に示したように、架台１４は、上述した太陽電池パネル２を支持する構造物であって、太陽電池パネル２は、架台１４を介して設置面Ｐに設置される。
尚、この設置面Ｐは、太陽電池パネル２を設置できるのであれば、何れの面であっても良いが、例えば、ゴルフ場跡地や山間部の土地、空き地などの地面や、ビルや社屋、工場などの建物の上面（屋上の面）、住宅の屋根の上面など、何れの面であっても良い。
【００４４】
架台１４は、枠体状や箱状（筐体状）、棒状態など、太陽電池パネル２を支持できるのであれば、何れの構造であっても良い。
架台１４は、太陽光発電システム１の発電量を上げるため、太陽電池パネル２を所定方向（例えば、南へ行くほど低くなるよう）に傾けて支持しても良い。
【００４５】
架台１４が太陽電池パネル２を傾ける場合、その角度は、十分な発電量を得られるのであれば、何度でも良いが、例えば、１０度や５度などである。
又、架台１４は、設置した後の太陽電池パネル２の傾き角度を可変としても良く、その他、太陽電池パネル２を折畳み可能としたり、移動可能とする架台１４であっても構わない。
このような架台１４で支持される太陽電池パネル２の下方に配置されるパワーコンディショナ３等について、以下に述べる。
【００４６】
＜パワーコンディショナ３＞
図１〜６にて示したように、パワーコンディショナ３は、太陽電池パネル２など盤筐体１０外からの直流電流（又は、上述したように、盤筐体１０外からの交流電流）を低圧交流電流Ｌに変換するものでも良い。
パワーコンディショナ３は、後述する盤筐体１０に対して、当該盤筐体１０とは別のパワコン筐体１１に内蔵された状態で設けられている（取り付けられている）と共に、太陽電池パネル２からの直流電流等を低圧交流電流Ｌ（例えば、１００〜２００Ｖ等）に変換するインバータ装置と、このインバータ装置が変換する交流の電圧や周波数を制御する制御部と、気中遮断機（ＡＣＢ）等を備えている。
これらのインバータ装置や制御部、遮断機等は、後述するパワコン筐体１１内に配設されており、このパワコン筐体１１には、その内部の空気を逃がす回転ファン状の送風手段が設けられていても良い。
【００４７】
このようなパワーコンディショナ３は、パワコン筐体１１との名前の一部からわかるように、略してパワコンとも呼ばれる。
パワーコンディショナ３は、上述したように「パネル下方配置」であるとも言えるが、この際、例えば、ある１枚の太陽電池パネル２の下方に、ある１つのパワーコンディショナ３が配置されていたり、ある複数枚の太陽電池パネル２の下方に亘って、ある１つのパワーコンディショナ３が配置されている等、何れの構成でも良い。
尚、本発明における「太陽電池パネル２の下方」とは、太陽電池パネル２の裏面（太陽電池パネル２における設置面Ｐに近い側の面）よりも、設置面Ｐに近い側を意味すると共に、この設置面Ｐが工場・ビルなどの建物の上面（屋上の面）、住宅の屋根の上面であれば、空間内において太陽電池パネル２の裏面に沿った平面を境界面として、この境界面により分けられる空間のうち設置面Ｐが存在する側にあり、工場・ビルなどの建物の上面（屋上の面）、住宅の屋根の上面などが設置面Ｐである場合には、当該工場・ビルなどの建物の内部や、当該住宅の内部に存在するものも含む。
【００４８】
又、パワーコンディショナ３は、上述した「設置面・パネル下方配置」であるとも言え、この場合、パワーコンディショナ３は、上述した架台１４の空いたスペースに、架台１４に囲まれて配置されることとなる。
更に、１つの第１実施形態の太陽光発電システム１が複数のパワーコンディショナ３を有していれば、上述した「パネル下方分散配置」であるとも言えるが、この際、例えば、ある複数枚の太陽電池パネル２のうち１枚ごとの下方に、複数のパワーコンディショナ３が１つずつ所定間隔ごとに分散して配置されていたり、ある複数枚の太陽電池パネル２の下方に亘って、ある複数のパワーコンディショナ３が分散して配置されている等、何れの構成でも良い。
【００４９】
＜変圧器４＞
図１〜６には、本発明に係る変圧器４が示されている。
変圧器４は、上述したパワーコンディショナ３からの低圧交流電流Ｌをより高圧な高圧交流電流Ｈに変圧（昇圧）するものであり、この変圧器４は、後述する盤筐体１０外に設けられる。
変圧器４の上面には、パワーコンディショナ３からのケーブル（低圧ケーブル６Ｌ）や、送電部５へのケーブル（高圧ケーブル６Ｈ）との接続部分（接続端子）が設けられている。
【００５０】
変圧器４は、所謂、トランスであって、パワーコンディショナ３からの低圧交流電流Ｌ（例えば、１００〜２００Ｖ等）を、送電に適した高圧交流電流Ｈ（例えば、６６００Ｖや２２０００Ｖ等）に変換する。
変圧器４も、上述のパワーコンディショナ３と同様に、「設置面・パネル下方配置」や「パネル下方分散配置」などの「パネル下方配置」であって良いが、何れの配置においてもポイントとなる点が、変圧器４の容量を確保しつつ、変圧器４の高さを抑えることである。
【００５１】
その点、変圧器４は、鉄心の組み方によって、従来よりも高さを低位としつつ十分な容量を持っている。
このような変圧器４の具体的な高さは、特に制限はないが、例えば、１５００ｍｍ以下であっても良く、好ましくは１４００ｍｍ以下、更に好ましくは１２００ｍｍ以下、より好ましくは１１５０ｍｍ以下（１１００ｍｍなど）であっても良い。
この変圧器４の容量も、特に制限はないが、例えば、３３０ｋＷ等であっても良い。又、変圧器４は、放熱フィンを有していても良い。
【００５２】
＜送電部５＞
図１〜６で示したように、送電部５は、上述した変圧器４からの高圧交流電流Ｈを、盤筐体１０外等に送電するものである。
送電部５は、後述する盤筐体１０内に設けられ、真空遮断機（ＶＣＢ）５ａや、避雷器（ＳＡＲ）などを備えている。
【００５３】
送電部５内では、変圧器４からの高圧交流電流Ｈが、上述の真空遮断器５ａ等を経た後、盤筐体１０の外部として、配電ケーブルＧを介して配電網Ｎに接続したり、複数の配電盤１００からの電力を取り纏めて送電する送電盤Ｍを介して配電網Ｎに接続するなど、最終的に配電網Ｎに導通し送電可能な構成であれば良い。
送電部５も、上述のパワーコンディショナ３と同様に、「設置面・パネル下方配置」や「パネル下方分散配置」などの「パネル下方配置」であって良い。
【００５４】
送電部５における真空遮断器５ａは、メンテナンス性の向上のため、例えば、前後方向に回動可能となっていても良い。
尚、送電部５は、特別高圧な電力（例えば、２２０００Ｖ等）を送電する場合には、特高部とも言え、トランスミッターとも言える。
【００５５】
＜逆流防止ダイオード１２＞
図５に示されたように、逆流防止ダイオード１２は、複数枚の太陽電池パネル２が直列に繋がった太陽電池ストリング２’それぞれの間で電位差が生じた場合、他よりも電位が低い太陽電池ストリング２’に、電流が逆流するのを防止するためのものである。
逆流防止ダイオード１２は、アノード（陽極）が、太陽電池ストリング２’の＋極に接続され、カソード（陰極）が、後述する開閉器１３側に接続されている。
【００５６】
逆流防止ダイオード１２は、太陽電池ストリング２’それぞれに対して１つずつ設けられても良いが、部材としては、２つの逆流防止ダイオード１２を１つに纏めたものであっても良い。
各逆流防止ダイオード１２は、後述する盤筐体１０内であれば、何れに設けられていても良いが、例えば、盤筐体１０（本体部分１０ａ）内における後述の盤前扉１０ｄとは反対側の面（後面、又は、送電部５の更に奥）の内側に設けられていても良く、更に、盤筐体１０の後面（後面材）にも後述の盤後扉１０ｅが設けられている場合には、各逆流防止ダイオード１２は盤後扉１０ｅの内側（裏側）に設けられることとなる。
【００５７】
＜開閉器１３＞
図２、３に示された如く、開閉器１３は、各太陽電池パネル２等からの電路を開閉（ＯＮ／ＯＦＦ）する電機器であって、このような開閉器１３を幾つかずつ纏めたケーブルが、後述する盤筐体１０の下面を通って、上述したパワーコンディショナ３に（図２〜６ではパワーコンディショナ３が２つあるため、それぞれのパワーコンディショナ３に）接続されている。
開閉器１３は、複数枚の太陽電池パネル２が直列に繋がった太陽電池ストリング２’それぞれに対して、１つずつ設けられていても良い。
【００５８】
又、開閉器１３は、太陽電池パネル２等からのコード（導線）や、上述した逆流防止ダイオード１２へのコードを接続する接続部（開閉接続部）を有している。
この開閉接続部は、太陽電池パネル２等からのコード（導線）を接続する側を電源側（１次側）とし、逆流防止ダイオード１２へのコードを接続する側を負荷側（２次側）とする。
【００５９】
尚、開閉器１３も、後述する盤筐体１０内であれば、何れに設けられていても良いが、例えば、盤筐体１０（本体部分１０ａ）内における左右側面それぞれの内側に設けられていても良い。
ここまで述べた逆流防止ダイオード１２や開閉器１３も、配電盤１００が備えるのであれば、当該配電盤１００は、従来の接続箱の機能も内蔵することとなる。
【００６０】
＜第１実施形態の盤筐体１０＞
図１〜６に示されたように、第１実施形態の盤筐体１０は、上述した送電部５や逆流防止ダイオード１２、開閉器１３などを内蔵したり、その外側に、上述したパワーコンディショナ３や変圧器４を設けるものである。
盤筐体１０は、ほぼ直方体状の部分（本体部分）１０ａと、この本体部分の左右一方側上部（図２〜６では右側上部）から延設し且つ上述の変圧器４の上方を覆う部分（変圧上部分）１０ｂと、この変圧上部分１０ｂの本体部分１０ａとは反対側の端部から下方に延設する部分（変圧側部分）１０ｃを有している。
【００６１】
第１実施形態の盤筐体１０は、その前面（前面材）には、開閉可能な盤前扉１０ｄが設けられており、盤筐体１０における「前後」とは、盤前扉１０ｄがある側を「前」とし、盤前扉１０ｄがある側とは反対の側を「後」とする。
更に、盤筐体１０における「左右」とは、盤筐体１０における「後」から「前」へ向いた時の左手側を「左」とし、「後」から「前」へ向いた時の右手側を「右」とする。
【００６２】
第１実施形態の盤筐体１０の本体部分１０ａ内には、上述の送電部５の他、逆流防止ダイオード１２や開閉器１３等が内蔵されている。
盤筐体１０の変圧上部分１０ｂは、パワーコンディショナ３からのケーブル（低圧ケーブル６Ｌ）や、送電部５へのケーブル（高圧ケーブル６Ｈ）との接続端子を覆っており、これら低圧ケーブル６Ｌや高圧ケーブル６Ｈが通ることとなる。
【００６３】
第１実施形態の盤筐体１０の変圧側部分１０ｃは、低圧ケーブル６Ｌが通ると共に、後述するパワコン筐体１１が取り付けられる。
このような盤筐体１０に対して、変圧器４が取り付けられているのは、例えば、図２〜６であれば、盤筐体１０の本体部分１０ａの右側となり、変圧側部分１０ｃが覆うのは、変圧器４の右側である。
尚、盤筐体１０における各部分１０ａ〜１０ｃの上面（屋根）は、後傾していても（前から後に行くに従って、高さが低くなっても）良く、又、盤筐体１０の後面（後面材）にも、開閉可能な盤後扉１０ｅが設けられていても構わない。
【００６４】
＜パワコン筐体１１＞
図２〜６に示されたように、パワコン筐体１１は、ここまで述べた盤筐体１０とは別お筐体であり、上述のパワーコンディショナ３を内蔵するものである。
パワコン筐体１１（つまり、パワーコンディショナ３）は、１つの盤筐体１０（１つの配電盤１００）に対して、１つだけ設けられていても、複数設けられていても良いが、以下は、１つの盤筐体１０に、２つのパワコン筐体１１が設けられている場合について、主に述べる。
【００６５】
パワコン筐体１１は、上述した盤筐体１０の側部（図２〜６においては、本体部分１０ａの左側と、変圧側部分１０ｃの右側）に設けられている（取り付けられている）。
パワコン筐体１１も、開閉可能な扉（パワコン扉）１１ａを有しているが、盤筐体１０の盤前扉１０ｄとは開閉向きが異なり、パワコン扉１１ａは、それぞれが盤筐体１０における左右外方へ開閉する。
パワコン筐体１１には、その内部の空気を外へ逃がす回転ファン状などの送風手段が設けられていても良い。
【００６６】
このようなパワコン筐体１１や盤筐体１０（つまり、配電盤１００）は、上述した太陽電池パネル２の下方（より詳しくは、架台１４に囲まれた空きスペース）に配置される。
このような構成の第１実施形態の配電盤１００を、１つの第１実施形態の太陽光発電システム１内で複数有し、各配電盤１００において、太陽電池パネル２に出来るだけ近い位置で、直流から交流の変換・昇圧・送電を終え、各配電盤１００間を、６６００Ｖ等に昇圧した交流電流を流すケーブルで結ぶことによって、第１実施形態の太陽光発電システム１内の送電ロスを可及的に低減できる。
【００６７】
＜配電盤１００の第２実施形態＞
図７には、本発明の第２実施形態に係る配電盤１００が示されている。
この第２実施形態において第１実施形態と異なるのは、まずパワーコンディショナ３も盤筐体２０内に設けられている点である。
つまり、第２実施形態の配電盤１００は、パワコン筐体１１を有さない。
【００６８】
更に、第２実施形態と第１実施形態が異なるのは、変圧器４及び送電部５がこの順で並ぶ所定方向とは平面視で略直交する方向上に、パワーコンディショナ３を配置している点である。
従って、パワーコンディショナ３は、変圧器４及び送電部５とで、平面視で略Ｌ字型（図７参照）や略Ｔ字型等を成す位置に配置されていることとなる。
【００６９】
このような構成を持つ第２実施形態の配電盤１００は、最も異なるのが盤筐体についてである。
よって、まずは、第２実施形態の盤筐体２０について述べる。
【００７０】
＜第２実施形態の盤筐体２０＞
図７に示されたように、第２実施形態の盤筐体２０は、パワーコンディショナ３も盤筐体２０内に設け、且つ、変圧器４及び送電部５の所定方向とは平面視で略直交する方向上にパワーコンディショナ３が配置されていれば、その構成や形状に制限はないが、例えば、盤筐体２０は、略直方体状に形成されている。
【００７１】
このような略直方体状の第２実施形態の盤筐体２０の平面視において、４つの角のうち１つが欠けている（切欠き部２０ａが設けられている）。
この盤筐体２０の切欠き部２０ａは、変圧器４が、当該盤筐体２０の外から取り付け可能な形状・大きさとなっていれば良いが、例えば、略矩形状（実際には略直方体状に）構成されていても良い。
【００７２】
第２実施形態の盤筐体２０の内部には、パワーコンディショナ３や送電部５の他、集電部、盤筐体２０内の空気を循環させるエアコン、無停電電源装置（ＵＰＳ）、パワーコンディショナ３やエアコン、ＵＰＳ等に電流を供給する補機、遮断機（ブレーカ）、ヒューズ、リレー（継電器）、ケーブル（配線コード）、端子、コネクタ等の電気機器や、センサ（電流計、電圧計）、ＣＰＵ等の電子機器などであったり、これらを支える支持部材が設けられていても良い。
又、盤筐体２０には開閉可能な扉が設けられていても良く、盤筐体２０の外側（外面）で、変圧器４が取り付けられた角以外には、エアコンの室外機などが取り付けられていても良い。
【００７３】
＜パワーコンディショナ３＞
図７にて示したように、パワーコンディショナ３は、平面視において、盤筐体２０内で且つ変圧器４に近接する位置に配置されている。
このように配置することで、パワーコンディショナ３から変圧器４へ低圧交流電流Ｌを流す低圧ケーブル６Ｌが可及的に短くなる。
【００７４】
＜変圧器４＞
図７で示し、上述したように、変圧器４は、平面視において、盤筐体２０外で、その切欠き部２０ａに取り付けられている（配置されている）。
変圧器４は、上述した低圧ケーブル６Ｌや高圧ケーブル６Ｈとの接続端子が何れにあっても良いが、例えば、変圧器４の上面に設けられていても構わず、その場合、変圧器４の高さを盤筐体２０の高さより低くして、変圧器４より高位置の盤筐体２０には切欠き部２０ａを設けない、且つ、変圧器４の上方に盤筐体２０の内と外を連通する開口部を設ける等の構成にして、当該開口部に各ケーブル６Ｌ、６Ｈを通しても良い。
【００７５】
＜送電部５＞
図７で示したように、送電部５も、平面視において上述したパワーコンディショナ３が設けられた位置以外で、盤筐体２０内で且つ変圧器４に近接する位置に設けられている（配置されている）。
この場合、変圧器４及び送電部５がこの順で並ぶ所定方向とは平面視で略直交する方向上に、パワーコンディショナ３が配置されることとなり、この状態は平面視では、パワーコンディショナ３と変圧器４と送電部５で略Ｌ字型を成す位置に、それぞれが配置されていると言える。
【００７６】
このように配置することで、変圧器４から送電部５へ高圧交流電流Ｈを流す高圧ケーブル６Ｈも可及的に短くなると同時に、盤筐体２０内において、高圧ケーブル６Ｈが低圧ケーブル６Ｌと平面視で重ならず、使用者による点検等の際に、高圧部分と不用意に接触する可能性が減る。
【００７７】
＜集電部など＞
図７にて示したように、上述した集電部やエアコン、ＵＰＳ、補機などは、盤筐体２０内において、パワーコンディショナ３及び送電部５よりも更に変圧器４から遠ざかる側に配置されている。
このような第２実施形態の配電盤１００は、第１実施形態と同様に、「設置面・パネル下方配置」や「パネル下方分散配置」などの「パネル下方配置」されていても良い。
その他の第２実施形態の配電盤１００、この配電盤１００を用いた第１実施形態の太陽光発電システム１、第２実施形態の配電盤１００中の変圧器４などの構成、作用効果及び使用態様は、第１実施形態の配電盤１００と同様である。
【００７８】
＜第２実施形態の太陽光発電システム１の全体構成＞
図８〜１０には、本発明の第２実施形態に係る太陽光発電システム１が示されている。
この太陽光発電システム１も、太陽電池パネル２と、パワーコンディショナ３と、変圧器４と、送電部５を有している。
【００７９】
第２実施形態の太陽光発電システム１は、少なくとも変圧器４と送電部５を備え、更には、盤筐体１０’も備えた配電盤１００’を有していても良く、この他、送電盤Ｍや、この送電盤Ｍと鉄塔や電柱等を末端とする配電網Ｎを導通する配電ケーブルＧ、この配電ケーブルＧを流れる電力量を測る電力量計を有していても構わない。
尚、この電力量計は、配電網Ｎへ売電する時だけでなく、配電網Ｎから買電する時にも設けられる。
【００８０】
１つの第２実施形態の太陽光発電システム１は、太陽電池パネル２やパワーコンディショナ３、変圧器４、送電部５、配電盤１００’等を、それぞれ複数有していても良い。
更に、太陽電池パネル２等が複数の場合、太陽光発電システム１は、複数の太陽電池パネル２のうち所定数ごとと導通する複数の接続箱（遮断機等付き）を有していても構わず、各配電盤１００’は、これら複数の接続箱と導通することとなるが、この接続箱の機能が配電盤１００’に内蔵されていても良く、この場合、各配電盤１００’は、複数の太陽電池パネル２のうち所定数ごとと直接導通することとなる。
【００８１】
又、最終的に送電盤Ｍから配電網Ｎへ送電する時の電圧は、売電や買電が可能な電圧（例えば、６６００Ｖ等）でも良いが、更に高圧（例えば、特別高圧（特高）として、例えば、２２０００Ｖ等）であっても構わない。この場合は、送電盤Ｍは、特高まで昇圧する変圧器（特高）を備えている。
又、太陽電池パネル２、配電盤１００’、送電盤Ｍ等は、設置する土地の広さ・形状に応じて配列するが、例えば、１つの配電盤１００’の発電力を、例えば、１５００ｋＷ（各パワーコンディショナ３当たり２５０ｋＷ）とし、この配電盤１００を複数台（例えば、３０台以上で１５０００ｋＷ（１５ＭＷ）以上、６０台で３００００ｋＷ（３０ＭＷ））設けた太陽光発電システム１としても良い。
このような第２実施形態の太陽光発電システム１のうち、まずは変圧器４と送電部５等を備えた配電盤１００’について、詳解する。
【００８２】
＜配電盤１００’の第３実施形態＞
図８〜１３には、本発明の第３実施形態に係る配電盤１００’が示されている。
この第３実施形態の配電盤１００’は、上述したように、少なくとも変圧器４と送電部５を備えており、その他、盤筐体１０’を備えているとも言える。
【００８３】
これら以外にも、配電盤１００’は、逆流防止ダイオード１２や、開閉器１３などを備えていたり、更には、遮断機（ブレーカ）、ヒューズ、リレー（継電器）、ケーブル（配線コード）、端子、コネクタ等の電気機器や、センサ（電流計、電圧計）、ＣＰＵ等の電子機器なども、盤筐体１０’内に内蔵される状態で備えていても構わない。
尚、第３実施形態の配電盤１００’は、複数の交流ケーブル（交流電流を流すケーブル）を集電する部分（謂わば、交流集電部）を有していても良い。
【００８４】
配電盤１００’は、上述した盤筐体１０’内には送電部５が設けられ、盤筐体１０’外には変圧器４が設けられるものの、同じ盤筐体１０’外にはパワーコンディショナ３は設けられていない。
又、配電盤１００’は、盤筐体１０’内の空気を循環させるエアコンと、無停電電源装置（ＵＰＳ）、上述したエアコン、ＵＰＳ等に電流を供給する補機も有していても良い。
【００８５】
ここで、配電盤１００’の盤筐体１０’外から交流電流を供給するのは、太陽光発電システム１の場合は、太陽電池パネル２であるが、太陽光発電システム１以外の場合は、風力、水力、波力等によって回転される発電機（モータ）からの電流となる。
尚、このモータからの出力電流が交流であれば、パワーコンディショナ３は、交流を直流に変換するコンバータ装置と、この直流を交流に変換するインバータ装置の両方を備えていれば良く、出力電流が直流であれば、パワーコンディショナ３はインバータ装置だけを備えていれば良いが、以下は、太陽電池パネル２のように、直流電流がパワーコンディショナ３へ流れ込む場合を述べる。
【００８６】
＜パワーコンディショナ３＞
図８にて示したように、パワーコンディショナ３は、太陽電池パネル２などからの直流電流（又は、上述したように、モータからの交流電流）を低圧交流電流Ｌに変換するものでも良い。
パワーコンディショナ３は、後述する第３実施形態の盤筐体１０’とは別のパワコン筐体１１に内蔵され、且つ、後述する変圧器４と送電部５が下方に配置された太陽電池パネル２とは異なる太陽電池パネル２の下方に配置されていると共に、太陽電池パネル２からの直流電流等を低圧交流電流Ｌ（例えば、１００〜２００Ｖ等）に変換するインバータ装置と、このインバータ装置が変換する交流の電圧や周波数を制御する制御部と、気中遮断機（ＡＣＢ）等を備えている。
これらのインバータ装置や制御部、遮断機等は、後述するパワコン筐体１１内に配設されており、このパワコン筐体１１には、その内部の空気を逃がす回転ファン状の送風手段が設けられていても良い。
【００８７】
このようなパワーコンディショナ３は、パワコン筐体１１との名前の一部からわかるように、略してパワコンとも呼ばれる。
パワーコンディショナ３は、上述したように「パネル下方配置」であるとも言えるが、この際、例えば、変圧器４と送電部５が下方に配置された太陽電池パネル２とは異なり且つある１枚の太陽電池パネル２の下方に、ある１つのパワーコンディショナ３が配置されていたり、変圧器４と送電部５が下方に配置された太陽電池パネル２とは異なり且つある複数枚の太陽電池パネル２の下方に亘って、ある１つのパワーコンディショナ３が配置されている等、何れの構成でも良い。
【００８８】
又、パワーコンディショナ３は、上述した「設置面・パネル下方配置」であるとも言え、この場合、パワーコンディショナ３は、上述した架台１４の空いたスペースに、架台１４に囲まれて配置されることとなる。
更に、１つの第２実施形態の太陽光発電システム１が複数のパワーコンディショナ３を有していれば、上述した「パネル下方分散配置」であるとも言えるが、この際、例えば、ある複数枚の太陽電池パネル２のうち１枚ごとの下方に、複数のパワーコンディショナ３が１つずつ所定間隔ごとに分散して配置されていたり、ある複数枚の太陽電池パネル２の下方に亘って、ある複数のパワーコンディショナ３が分散して配置されている等、何れの構成でも良い。
【００８９】
＜変圧器４＞
図８〜１３には、本発明に係る変圧器４が示されている。
変圧器４は、上述したパワーコンディショナ３からの低圧交流電流Ｌをより高圧な高圧交流電流Ｈに変圧（昇圧）するものであり、この変圧器４は、後述する第３実施形態の盤筐体１０’外に設けられる。
変圧器４の上面には、パワーコンディショナ３からのケーブル（低圧ケーブル６Ｌ）や、送電部５へのケーブル（高圧ケーブル６Ｈ）との接続部分（接続端子）が設けられている。
【００９０】
変圧器４は、所謂、トランスであって、パワーコンディショナ３からの低圧交流電流Ｌ（例えば、１００〜２００Ｖ等）を、送電に適した高圧交流電流Ｈ（例えば、６６００Ｖや２２０００Ｖ等）に変換する。
変圧器４は、上述したように、パワーコンディショナ３が下方に配置された太陽電池パネル２とは異なる太陽電池パネル２の下方に配置されていると言え、この変圧器４も、「設置面・パネル下方配置」や「パネル下方分散配置」などの「パネル下方配置」であって良いが、何れの配置においてもポイントとなる点が、第２実施形態の太陽光発電システム１においても、変圧器４の容量を確保しつつ、変圧器４の高さを抑えることである。
【００９１】
その点、変圧器４は、鉄心の組み方によって、従来よりも高さを低位としつつ十分な容量を持っている。
このような変圧器４の具体的な高さは、特に制限はないが、例えば、１５００ｍｍ以下であっても良く、好ましくは１４００ｍｍ以下、更に好ましくは１２００ｍｍ以下、より好ましくは１１５０ｍｍ以下（１１００ｍｍなど）であっても良い。
この変圧器４の容量も、特に制限はないが、例えば、３００ｋＷや３３０ｋＷ、５００ｋＷ等であっても良い。又、変圧器４は、放熱フィンを有していても良い。
【００９２】
＜送電部５＞
図８〜１３で示したように、送電部５は、上述した変圧器４からの高圧交流電流Ｈを、盤筐体１０’外等に送電するものである。
送電部５は、後述する盤筐体１０’内に設けられ、真空遮断機（ＶＣＢ）５ａや、避雷器（ＳＡＲ）などを備えている。
【００９３】
送電部５内では、変圧器４からの高圧交流電流Ｈが、上述の真空遮断器５ａ等を経た後、盤筐体１０’の外部として、配電ケーブルＧを介して配電網Ｎに接続したり、複数の第３実施形態の配電盤１００’からの電力を取り纏めて送電する送電盤Ｍを介して配電網Ｎに接続するなど、最終的に配電網Ｎに導通し送電可能な構成であれば良い。
送電部５も、変圧器４と同様に、上述したように、パワーコンディショナ３が下方に配置された太陽電池パネル２とは異なる太陽電池パネル２の下方に配置されていると言え、この送電部５も、「設置面・パネル下方配置」や「パネル下方分散配置」などの「パネル下方配置」であって良い。
【００９４】
送電部５における真空遮断器５ａは、メンテナンス性の向上のため、例えば、前後方向に回動可能となっていても良い。
尚、送電部５は、特別高圧な電力（例えば、２２０００Ｖ等）を送電する場合には、特高部とも言え、トランスミッターとも言える。
【００９５】
＜逆流防止ダイオード１２＞
図１２に示されたように、逆流防止ダイオード１２は、複数枚の太陽電池パネル２が直列に繋がった太陽電池ストリング２’それぞれの間で電位差が生じた場合、他よりも電位が低い太陽電池ストリング２’に、電流が逆流するのを防止するためのものである。
逆流防止ダイオード１２は、アノード（陽極）が、太陽電池ストリング２’の＋極に接続され、カソード（陰極）が、後述する開閉器１３側に接続されている。
【００９６】
逆流防止ダイオード１２は、太陽電池ストリング２’それぞれに対して１つずつ設けられても良いが、部材としては、２つの逆流防止ダイオード１２を１つに纏めたものであっても良い。
各逆流防止ダイオード１２は、後述する第３実施形態の盤筐体１０’内であれば、何れに設けられていても良いが、例えば、盤筐体１０’（本体部分１０ａ’）内における後述の盤前扉１０ｄ’とは反対側の面（後面、又は、送電部５の更に奥）の内側に設けられていても良く、更に、盤筐体１０’の後面（後面材）にも後述の盤後扉１０ｅ’が設けられている場合には、各逆流防止ダイオード１２は盤後扉１０ｅ’の内側（裏側）に設けられることとなる。
【００９７】
＜開閉器１３＞
図９、１０に示された如く、開閉器１３は、各太陽電池パネル２等からの電路を開閉（ＯＮ／ＯＦＦ）する電機器である。
開閉器１３は、複数枚の太陽電池パネル２が直列に繋がった太陽電池ストリング２’それぞれに対して、１つずつ設けられていても良い。
【００９８】
又、開閉器１３は、太陽電池パネル２等からのコード（導線）や、上述した逆流防止ダイオード１２へのコードを接続する接続部（開閉接続部）を有している。
この開閉接続部は、太陽電池パネル２等からのコード（導線）を接続する側を電源側（１次側）とし、逆流防止ダイオード１２へのコードを接続する側を負荷側（２次側）とする。
【００９９】
尚、開閉器１３も、後述する第３実施形態の盤筐体１０’内であれば、何れに設けられていても良いが、例えば、盤筐体１０’（本体部分１０ａ’）内における左右側面それぞれの内側に設けられていても良い。
ここまで述べた逆流防止ダイオード１２や開閉器１３も、第３実施形態の配電盤１００’が備えるのであれば、当該配電盤１００’は、従来の接続箱の機能も内蔵することとなる。
【０１００】
＜第３実施形態の盤筐体１０’＞
図８〜１３に示されたように、第３実施形態の盤筐体１０’は、上述した送電部５や逆流防止ダイオード１２、開閉器１３などを内蔵したり、その外側に、上述した変圧器４を設けるものである。
盤筐体１０’は、ほぼ直方体状の部分（本体部分）１０ａ’と、この本体部分の左右一方側上部（図９〜１３では右側上部）から延設し且つ上述の変圧器４の上方を覆う部分（変圧上部分）１０ｂ’と、この変圧上部分１０ｂ’の本体部分１０ａ’とは反対側の端部から下方に延設する部分（変圧側部分）１０ｃ’を有している。
【０１０１】
第３実施形態の盤筐体１０’は、その前面（前面材）には、開閉可能な盤前扉１０ｄ’が設けられており、盤筐体１０’における「前後」とは、盤前扉１０ｄ’がある側を「前」とし、盤前扉１０ｄ’がある側とは反対の側を「後」とする。
更に、盤筐体１０’における「左右」とは、盤筐体１０’における「後」から「前」へ向いた時の左手側を「左」とし、「後」から「前」へ向いた時の右手側を「右」とする。
【０１０２】
第３実施形態の盤筐体１０’の本体部分１０ａ’内には、上述の送電部５の他、逆流防止ダイオード１２や開閉器１３等が内蔵されている。
盤筐体１０’の変圧上部分１０ｂ’は、送電部５へのケーブル（高圧ケーブル６Ｈ）との接続端子を覆っており、これら高圧ケーブル６Ｈが通ることとなる。
【０１０３】
ここで、第３実施形態の盤筐体１０’には、上述した第１実施形態の盤筐体１０とは異なり、上述したようなパワコン筐体１１は取り付けられていない。
このような盤筐体１０’に対して、変圧器４が取り付けられているのは、例えば、図９〜１３であれば、盤筐体１０’の本体部分１０ａ’の右側となり、変圧側部分１０ｃ’が覆うのは、変圧器４の右側である。
尚、盤筐体１０’における各部分１０ａ’〜１０ｃ’の上面（屋根）は、後傾していても（前から後に行くに従って、高さが低くなっても）良く、又、盤筐体１０’の後面（後面材）にも、開閉可能な盤後扉１０ｅ’が設けられていても構わない。
【０１０４】
この第３実施形態の盤筐体１０’（つまり、第３実施形態の配電盤１００’）は、上述した太陽電池パネル２の下方（より詳しくは、架台１４に囲まれた空きスペース）に配置される。
このような構成の第３実施形態の配電盤１００’を、１つの第２実施形態の太陽光発電システム１内で複数有し、各配電盤１００’において、太陽電池パネル２に出来るだけ近い位置で、直流から交流の変換・昇圧・送電を終え、各配電盤１００’間を、６６００Ｖ等に昇圧した交流電流を流すケーブルで結ぶことによって、第２実施形態の太陽光発電システム１内の送電ロスを可及的に低減できる。
その他の第３実施形態の配電盤１００’、この配電盤１００’を用いた第２実施形態の太陽光発電システム１、第２実施形態の太陽光発電システム１中の太陽電池パネル２や架台１４、第３実施形態の配電盤１００’中の変圧器４などの構成、作用効果及び使用態様は、第１実施形態の太陽光発電システム１や、第１実施形態の配電盤１００と同様である。
【０１０５】
＜配電盤１００’の第４実施形態＞
図８、１４〜１７には、本発明の第４実施形態に係る配電盤１００’が示されている。
この第４実施形態の配電盤１００’は、上述した第３実施形態のように、少なくとも変圧器４と送電部５を備えており、その他、盤筐体１０’を備えているとも言える。
【０１０６】
これら以外にも、配電盤１００’は、ブレーカ（遮断機）１５や、制御部１６などを備えていたり、更には、ヒューズ、リレー（継電器）、ケーブル（配線コード）、端子、コネクタ等の電気機器や、センサ（電流計、電圧計）、ＣＰＵ等の電子機器なども、盤筐体１０’内に内蔵される状態で備えていても構わない。
尚、第４実施形態の配電盤１００’は、複数の交流ケーブル（交流電流を流すケーブル）を集電する部分（謂わば、交流集電部）を有していても良い。
【０１０７】
配電盤１００’は、上述した盤筐体１０’内には送電部５が設けられ、盤筐体１０’外には変圧器４が設けられるものの、同じ盤筐体１０’外にはパワーコンディショナ３は設けられていない。
又、配電盤１００’は、盤筐体１０’内の空気を循環させるエアコンと、無停電電源装置（ＵＰＳ）、上述したエアコン、ＵＰＳ等に電流を供給する補機も有していても良い。
【０１０８】
ここで、配電盤１００’の盤筐体１０’外から交流電流を供給するのは、太陽光発電システム１の場合は、太陽電池パネル２であるが、太陽光発電システム１以外の場合は、風力、水力、波力等によって回転される発電機（モータ）からの電流となる。
尚、このモータからの出力電流が交流であれば、パワーコンディショナ３は、交流を直流に変換するコンバータ装置と、この直流を交流に変換するインバータ装置の両方を備えていれば良く、出力電流が直流であれば、パワーコンディショナ３はインバータ装置だけを備えていれば良いが、以下は、太陽電池パネル２のように、直流電流がパワーコンディショナ３へ流れ込む場合を述べる。
【０１０９】
＜パワーコンディショナ３＞
図８にて示したように、パワーコンディショナ３は、太陽電池パネル２などからの直流電流（又は、上述したように、モータからの交流電流）を低圧交流電流Ｌに変換するものでも良い。
パワーコンディショナ３は、後述する第４実施形態の盤筐体１０’とは別のパワコン筐体１１に内蔵され、且つ、後述する変圧器４と送電部５が下方に配置された太陽電池パネル２とは異なる太陽電池パネル２の下方に配置されていると共に、太陽電池パネル２からの直流電流等を低圧交流電流Ｌ（例えば、１００〜２００Ｖ等）に変換するインバータ装置と、このインバータ装置が変換する交流の電圧や周波数を制御する制御部と、気中遮断機（ＡＣＢ）等を備えている。
これらのインバータ装置や制御部、遮断機等は、後述するパワコン筐体１１内に配設されており、このパワコン筐体１１には、その内部の空気を逃がす回転ファン状の送風手段が設けられていても良い。
【０１１０】
このようなパワーコンディショナ３は、パワコン筐体１１との名前の一部からわかるように、略してパワコンとも呼ばれる。
パワーコンディショナ３は、上述したように「パネル下方配置」であるとも言えるが、この際、例えば、変圧器４と送電部５が下方に配置された太陽電池パネル２とは異なり且つある１枚の太陽電池パネル２の下方に、ある１つのパワーコンディショナ３が配置されていたり、変圧器４と送電部５が下方に配置された太陽電池パネル２とは異なり且つある複数枚の太陽電池パネル２の下方に亘って、ある１つのパワーコンディショナ３が配置されている等、何れの構成でも良い。
【０１１１】
又、パワーコンディショナ３は、上述した「設置面・パネル下方配置」であるとも言え、この場合、パワーコンディショナ３は、上述した架台１４の空いたスペースに、架台１４に囲まれて配置されることとなる。
更に、１つの第２実施形態の太陽光発電システム１が複数のパワーコンディショナ３を有していれば、上述した「パネル下方分散配置」であるとも言えるが、この際、例えば、ある複数枚の太陽電池パネル２のうち１枚ごとの下方に、複数のパワーコンディショナ３が１つずつ所定間隔ごとに分散して配置されていたり、ある複数枚の太陽電池パネル２の下方に亘って、ある複数のパワーコンディショナ３が分散して配置されている等、何れの構成でも良い。
【０１１２】
＜変圧器４＞
図８、１４〜１７には、本発明に係る変圧器４が示されている。
変圧器４は、上述したパワーコンディショナ３からの低圧交流電流Ｌをより高圧な高圧交流電流Ｈに変圧（昇圧）するものであり、この変圧器４は、後述する第４実施形態の盤筐体１０’外に設けられる。
変圧器４の上面には、パワーコンディショナ３からのケーブル（低圧ケーブル６Ｌ）や、送電部５へのケーブル（高圧ケーブル６Ｈ）との接続部分（接続端子）が設けられている。
【０１１３】
変圧器４は、所謂、トランスであって、パワーコンディショナ３からの低圧交流電流Ｌ（例えば、１００〜２００Ｖ等）を、送電に適した高圧交流電流Ｈ（例えば、６６００Ｖや２２０００Ｖ等）に変換する。
変圧器４は、上述したように、パワーコンディショナ３が下方に配置された太陽電池パネル２とは異なる太陽電池パネル２の下方に配置されていると言え、この変圧器４も、「設置面・パネル下方配置」や「パネル下方分散配置」などの「パネル下方配置」であって良いが、何れの配置においてもポイントとなる点が、第２実施形態の太陽光発電システム１においても、変圧器４の容量を確保しつつ、変圧器４の高さを抑えることである。
【０１１４】
その点、変圧器４は、鉄心の組み方によって、従来よりも高さを低位としつつ十分な容量を持っている。
このような変圧器４の具体的な高さは、特に制限はないが、例えば、１５００ｍｍ以下であっても良く、好ましくは１４００ｍｍ以下、更に好ましくは１２００ｍｍ以下、より好ましくは１１５０ｍｍ以下（１１００ｍｍなど）であっても良い。
この変圧器４の容量も、特に制限はないが、例えば、３００ｋＷや３３０ｋＷ、５００ｋＷ等であっても良い。又、変圧器４は、放熱フィンを有していても良い。
【０１１５】
＜送電部５＞
図８、１４〜１７で示したように、送電部５は、上述した変圧器４からの高圧交流電流Ｈを、盤筐体１０’外等に送電するものである。
送電部５は、後述する盤筐体１０’内に設けられ、真空遮断機（ＶＣＢ）５ａや、避雷器（ＳＡＲ）などを備えている。
【０１１６】
送電部５内では、変圧器４からの高圧交流電流Ｈが、上述の真空遮断器５ａ等を経た後、盤筐体１０’の外部として、配電ケーブルＧを介して配電網Ｎに接続したり、複数の第４実施形態の配電盤１００’からの電力を取り纏めて送電する送電盤Ｍを介して配電網Ｎに接続したり、直接配電網Ｎに導通するなど、最終的に配電網Ｎに導通し送電可能な構成であれば良い。
又、送電部５からの配電ケーブルＧ（高圧交流電流Ｈの電路（高圧ケーブル６Ｈ））は、第４実施形態の盤筐体１０’の下面後側の略矩形状の孔５ｂを通って、送電盤Ｍに接続したり、配電網Ｎに導通することとしても良い。
送電部５も、変圧器４と同様に、上述したように、パワーコンディショナ３が下方に配置された太陽電池パネル２とは異なる太陽電池パネル２の下方に配置されていると言え、この送電部５も、「設置面・パネル下方配置」や「パネル下方分散配置」などの「パネル下方配置」であって良い。
【０１１７】
送電部５における真空遮断器５ａは、メンテナンス性の向上のため、例えば、前後方向に回動可能となっていても良い。
尚、送電部５は、特別高圧な電力（例えば、２２０００Ｖ等）を送電する場合には、特高部とも言え、トランスミッターとも言える。
【０１１８】
＜ブレーカ１５＞
図１４〜１７に示すように、ブレーカ１５は、パワーコンディショナ３からの低圧交流電流Ｌを遮断可能な電機器であり、配線用遮断器（ＭＣＣＢ（ＭＣＢ）：Molded Case Circuit Breaker ）とも言う。
ブレーカ１５は、ケーシング（外郭）が合成樹脂の箱体で被われ、前面に手動で電源をＯＮ／ＯＦＦするハンドルが設けられていたり、引き外し機構や、消弧装置が組み込まれていても良い。
【０１１９】
ブレーカ１５は、異常な過電流等により遮断動作をした場合、ハンドルがＯＮとＯＦＦの中間の位置で止まる、又は、ＯＦＦの位置で止まるように構成されていても良い。
ブレーカ１５のケーシングには、その端部（上端や下端等）に低圧交流電流Ｌの電路（低圧ケーブル６Ｌ）を接続する遮断接続部（遮断接続端子）が設けられたり、遮断接続部は、パワーコンディショナ３により近い側からの低圧交流電流Ｌの電路を接続する側を電源側（１次側）とし、変圧器５により近い側からの低圧交流電流Ｌの電路を接続する側を負荷側（２次側）としても良い。
【０１２０】
１つのブレーカ１５における遮断接続部の数は、低圧交流電流Ｌの電路を遮断できるのであれば、特に限定はないが、低圧交流電流Ｌの電路に応じて、三相３線式であれば３つ（３極）としたり、三相４線式であれば４つ（４極）としたり、単相２線式であれば２つ（２極）などにしても良い。
つまり、ブレーカ１５は「交流ブレーカ」である。
【０１２１】
尚、ブレーカ１５も、後述する第４実施形態の盤筐体１０’内であれば、何れに設けられていても良いが、例えば、盤筐体１０’（本体部分１０ａ’）内における前面下部の内側に横一列（左右一列）に並べて設けられていても良く、又、１つの盤筐体１０’内に設けられるブレーカ１５の個数も、特に制限はないが、例えば、１個であったり、１４個など複数であっても構わない。
又、ブレーカ１５とパワーコンディショナ３との間の低圧交流電流Ｌの電路（低圧ケーブル６Ｌ）は、第４実施形態の盤筐体１０’の下面前側の横（左右方向）に長い略矩形状の孔１５ａを通って、盤筐体１０’外のパワーコンディショナ３に接続されることとしても良い。
【０１２２】
このようなブレーカ１５が複数である場合、これらのブレーカ１５より後述する盤筐体１０’の盤前扉１０ｄ’から遠い位置に、長手方向を有し且つ集めた電流を流す電路体１５ｂを複数備えていても良い。
この電路体１５ｂは、長手方向を有し且つ集めた電流を流せるのであれば、特に限定はないが、素材が銅、アルミニウム、銀、金、ニクロムなど導体の棒状板体であっても良い。
【０１２３】
電路体１５ｂは、複数であれば、特に限定はないが、複数のパワーコンディショナ３からの低圧交流電流Ｌが流れるため、例えば、電路体１５ｂの数は、低圧交流電流Ｌの電路（低圧ケーブル６Ｌ）に応じて、三相３線式（Ｒ相、Ｓ相、Ｔ相）であれば３つ（３極）としたり、三相４線式（Ｒ相、Ｓ相、Ｔ相、Ｎ相）であれば４つ（４極）としたり、単相２線式であれば２つ（２極）などにしても良い。
【０１２４】
＜制御部１６＞
図１４〜１７に示すように、制御部１６は、盤筐体１０’内の空気を循環させるエアコンと、無停電電源装置（ＵＰＳ）、上述したエアコン、ＵＰＳ等に電流を供給する補機などの制御を行うものであっても良く、制御テーブルであるとも言える。
制御部１６も、後述する第４実施形態の盤筐体１０’内であれば、何れに設けられていても良いが、例えば、盤筐体１０’（本体部分１０ａ’）内において、上述した送電部５より変圧器４から遠い側に設けられていても良い。
【０１２５】
又、制御部１６は、第４実施形態の盤筐体１０’の下面において、送電部５より変圧器４から遠い側に設けられた略矩形状の孔１６ａを通る制御ケーブルを介して、盤筐体１０’外から制御することとしても良い。
ここまで述べたブレーカ１５や制御部１６も、第４実施形態の配電盤１００’が備えるのであれば、当該配電盤１００’は、従来の交流集電箱の機能も内蔵することとなる。
【０１２６】
＜第４実施形態の盤筐体１０’＞
図１４〜１７に示されたように、第４実施形態の盤筐体１０’は、上述した送電部５などを内蔵したり、その外側に、上述した変圧器４を設けるものである。
盤筐体１０’は、ほぼ直方体状の部分（本体部分）１０ａ’と、この本体部分の左右一方側上部（図１４〜１７では右側上部）から延設し且つ上述の変圧器４の上方を覆う部分（変圧上部分）１０ｂ’を有しているものの、第３実施形態の盤筐体１０’と違って、変圧側部分１０ｃ’を有していない。
【０１２７】
第４実施形態の盤筐体１０’は、その前面（前面材）には、開閉可能な盤前扉１０ｄ’が設けられており、この盤前扉１０ｄ’は、２つ設けられていても良い。
又、盤筐体１０’における「前後」とは、盤前扉１０ｄ’がある側を「前」とし、盤前扉１０ｄ’がある側とは反対の側を「後」とする。
更に、盤筐体１０’における「左右」とは、盤筐体１０’における「後」から「前」へ向いた時の左手側を「左」とし、「後」から「前」へ向いた時の右手側を「右」とする。
【０１２８】
第４実施形態の盤筐体１０’の本体部分１０ａ’内には、上述の送電部５の他、ブレーカ１５や制御部１６等が内蔵されている。
盤筐体１０’の変圧上部分１０ｂ’は、送電部５へのケーブル（高圧ケーブル６Ｈ）との接続端子を覆っており、これら高圧ケーブル６Ｈが通ることとなる。
【０１２９】
ここで、第４実施形態の盤筐体１０’にも、上述した第１実施形態の盤筐体１０とは異なり、上述したようなパワコン筐体１１は取り付けられていない。
このような盤筐体１０’に対して、変圧器４が取り付けられているのは、例えば、図１４〜１７であれば、盤筐体１０’の本体部分１０ａ’の右側となる。
尚、盤筐体１０’における各部分１０ａ’、１０ｂ’の上面（屋根）は、側面視において、前後方向中途部が最も高くなり、この最も高くなった部分からは後傾していても（前から後に行くに従って、高さが低くなっても）良く、又、盤筐体１０’の後面（後面材）にも、開閉可能な盤後扉が設けられていても構わない。
【０１３０】
この第４実施形態の盤筐体１０’（つまり、第４実施形態の配電盤１００’）は、上述した太陽電池パネル２の下方（より詳しくは、架台１４に囲まれた空きスペース）に配置される。
このような構成の第４実施形態の配電盤１００’を、１つの第２実施形態の太陽光発電システム１内で複数有し、各配電盤１００’において、太陽電池パネル２に出来るだけ近い位置で、昇圧・送電を終え、各配電盤１００’間を、６６００Ｖ等に昇圧した交流電流を流すケーブルで結ぶことによって、第２実施形態の太陽光発電システム１内の送電ロスを可及的に低減できる。
その他の第４実施形態の配電盤１００’、この配電盤１００’を用いた第２実施形態の太陽光発電システム１、第２実施形態の太陽光発電システム１中の太陽電池パネル２や架台１４、第４実施形態の配電盤１００’中の変圧器４などの構成、作用効果及び使用態様は、第１実施形態の太陽光発電システム１や、第１実施形態の配電盤１００や、第３実施形態の配電盤１００’と同様である。
【０１３１】
＜その他＞
本発明は、前述した実施形態に限定されるものではない。太陽光発電システム１、変圧器４、配電盤１００、１００’等の各構成又は全体の構造、形状、寸法などは、本発明の趣旨に沿って適宜変更することが出来る。
太陽光発電システム１は、架台１４を有していなくとも良く、更にこの場合、太陽電池パネル２を、配電盤１００、１００’の盤筐体１０、１０’、２０によって支持しても構わない。
太陽光発電システム１は、送電盤Ｍを有さず、送電部５から直接配電ケーブルＧを介して、配電網Ｎに導通していても良く、又、送電盤Ｍの機能を送電部５が果たしても良い。
１つの太陽光発電システム１内に、第１実施形態の配電盤１００と、第３実施形態や第４実施形態の配電盤１００’が混在していても良い。
より詳しく述べれば、１つの太陽光発電システム１は、第１実施形態の配電盤１００と、第３実施形態や第４実施形態の配電盤１００’との両方を有すると共に、これらの配電盤１００、１００’が下方に配置された太陽電池パネル２とは異なる太陽電池パネル２の下方にパワーコンディショナ３が配置されていても良い。
【０１３２】
パワーコンディショナ３や変圧器４、配電盤１００、１００’等を、太陽電池パネル２の下方に配置する「パネル下方配置」とは、当該パワーコンディショナ３や変圧器４、送電部５、配電盤１００、１００’等を、太陽電池パネル２とその設置面Ｐとの間に配置するだけでなく、その設置面Ｐより下方、つまり、太陽電池パネル２が建物の屋上や、住宅の屋根等に設置されているのであれば、パネル下方で、且つ、当該建物や住宅の内部に配置しても良い。
又、パワーコンディショナ３や変圧器４、送電部５等が太陽電池パネル２の下方に配置されるのであれば、パワーコンディショナ３や変圧器４、送電部５等は、必ずしも配電盤として纏まっていなくとも良く、パワーコンディショナ３が、ある太陽電池パネル２の下方に配置され、変圧器４は、また別の太陽電池パネル２の下方に配置され、送電部５は、更にまた別の太陽電池パネル２の下方に配置されるなどの構成であっても良い。
【０１３３】
図２では、１つの配電盤１００（第１実施形態の配電盤１００）に対して２つのパワコン筐体１１（つまり、パワーコンディショナ３）が設けられているが、当該図２中の点線で示したように、パワコン筐体１１の左右両外方側や、左右一外方側などに更に、幾つかのパワコン筐体１１（パワーコンディショナ３）を取り付けて、１つの配電盤１００に、３つ以上のパワーコンディショナ３を有するものとしても良い。
複数のパワーコンディショナ３が、１つのパワコン筐体１１に内蔵されていても良い。
【０１３４】
配電盤１００、１００’は、太陽光発電以外に、風力発電等、交流電流を流入させた場合にも、利用可能である。
配電盤１００、１００’は蓄電池を内蔵しても良く、太陽光発電等の発電量に余剰が生じた場合には、蓄電池に充電し、発電量が減った場合（曇り・雨天時や夜間）には、蓄電池からの電力で、各住宅（需要家）の使用量をまかなっても良い。
【０１３５】
その他、配電盤１００、１００’は、盤筐体１０、１０’の上面に、クレーン等で吊上可能なフックを設けていても良く、このフックを介して吊り上げた配電盤１００、１００’全体を、事前に施工した基礎（土台）上に据え付けても構わない。
この基礎は、コンクリート製や、鋼材（Ｈ鋼）製など何れの素材でも良く、その形状も、一様な厚みを持つベタ基礎や、盤筐体１０、１０’の下方に空間を形成するよう凹み等を有したゲタ基礎であっても構わない。
【産業上の利用可能性】
【０１３６】
太陽光発電システムは、その発電量や規模に関わらず利用可能であり、変圧器や配電盤は、太陽光発電システム以外に、風力、水力、波力等によって回転される発電機（モータ）によって発電するシステムにおいて使用でき、屋外・屋内を問わず利用可能である。
【符号の説明】
【０１３７】
１        太陽光発電システム
２        太陽電池パネル
３        パワーコンディショナ
４        変圧器
５        送電部
１０        盤筐体
１０’      盤筐体
１１        パワコン筐体
２０        盤筐体
１００        配電盤
１００’      配電盤
Ｌ        低圧交流電流
Ｈ        高圧交流電流
６Ｌ        低圧ケーブル
６Ｈ        高圧ケーブル
Ｐ        太陽電池パネルの設置面
【図１】
2019140889.tif 000003
【図２】
2019140889.tif 000004
【図３】
2019140889.tif 000005
【図４】
2019140889.tif 000006
【図５】
2019140889.tif 000007
【図６】
2019140889.tif 000008
【図７】
2019140889.tif 000009
【図８】
2019140889.tif 000010
【図９】
2019140889.tif 000011
【図１０】
2019140889.tif 000012
【図１１】
2019140889.tif 000013
【図１２】
2019140889.tif 000014
【図１３】
2019140889.tif 000015
【図１４】
2019140889.tif 000016
【図１５】
2019140889.tif 000017
【図１６】
2019140889.tif 000018
【図１７】
2019140889.tif 000019
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
太陽電池パネル（２）と、この太陽電池パネル（２）からの直流電流を低圧交流電流（Ｌ）に変換するパワーコンディショナ（３）と、このパワーコンディショナ（３）からの低圧交流電流（Ｌ）をより高圧な高圧交流電流（Ｈ）に変圧する変圧器（４）と、この変圧器（４）からの高圧交流電流（Ｈ）を送電する送電部（５）を有した太陽光発電システムであって、
前記太陽電池パネル（２）を支持する架台（１４）を有し、この架台（１４）を介して前記太陽電池パネル（２）は、設置面（Ｐ）である地面に設置され、
同じ前記設置面（Ｐ）である地面には、前記変圧器（４）が盤筐体（１０’）の外側に設けられ且つ前記送電部（５）が盤筐体（１０’）に内蔵された配電盤（１００’）も設置されていて、
前記太陽電池パネル（２）を複数有し、前記パワーコンディショナ（３）を複数有し、前記配電盤（１００’）を複数有し、
これら複数の配電盤（１００’）が、前記太陽電池パネル（２）の下方で、且つ、前記太陽電池パネル（２）の設置面（Ｐ）である地面と、当該太陽電池パネル（２）との間に、分散して配置され、
前記複数のパワーコンディショナ（３）が、前記配電盤（１００’）が下方に配置された太陽電池パネル（２）とは異なる太陽電池パネル（２）の下方で、且つ、前記太陽電池パネル（２）の設置面（Ｐ）である地面と、当該太陽電池パネル（２）との間に、分散して配置されていることを特徴とする太陽光発電システム。
【請求項２】
前記設置面（Ｐ）である地面は、ゴルフ場跡地、山間部の土地又は空き地であることを特徴とする請求項１に記載の太陽光発電システム。
【請求項３】
前記変圧器（４）の高さは、１５００ｍｍ以下であることを特徴とする請求項１又は２に記載の太陽光発電システム。
【手続補正３】
【補正対象書類名】明細書
【補正対象項目名】０００６
【補正方法】変更
【補正の内容】
【０００６】
本発明に係る太陽光発電システム１は、太陽電池パネル２と、この太陽電池パネル２からの直流電流を低圧交流電流Ｌに変換するパワーコンディショナ３と、このパワーコンディショナ３からの低圧交流電流Ｌをより高圧な高圧交流電流Ｈに変圧する変圧器４と、この変圧器４からの高圧交流電流Ｈを送電する送電部５を有した太陽光発電システムであって、前記太陽電池パネル２を支持する架台１４を有し、この架台１４を介して前記太陽電池パネル２は、設置面Ｐである地面に設置され、同じ前記設置面Ｐである地面には、前記変圧器４が盤筐体１０’の外側に設けられ且つ前記送電部５が盤筐体１０’に内蔵された配電盤１００’も設置されていて、前記太陽電池パネル２を複数有し、前記パワーコンディショナ３を複数有し、前記配電盤１００’を複数有し、これら複数の配電盤１００’が、前記太陽電池パネル２の下方で、且つ、前記太陽電池パネル２の設置面Ｐである地面と、当該太陽電池パネル２との間に、分散して配置され、前記複数のパワーコンディショナ３が、前記配電盤１００’が下方に配置された太陽電池パネル２とは異なる太陽電池パネル２の下方で、且つ、前記太陽電池パネル２の設置面Ｐである地面と、当該太陽電池パネル２との間に、分散して配置されていることを第１の特徴とする。
【手続補正４】
【補正対象書類名】明細書
【補正対象項目名】０００７
【補正方法】変更
【補正の内容】
【０００７】
本発明に係る太陽光発電システム１の第２の特徴は、上記第１の特徴に加えて、前記地面である設置面Ｐは、ゴルフ場跡地、山間部の土地又は空き地である点にある。
【手続補正５】
【補正対象書類名】明細書
【補正対象項目名】０００８
【補正方法】変更
【補正の内容】
【０００８】
本発明に係る太陽光発電システム１の第３の特徴は、上記第１又は２の特徴に加えて、前記変圧器４の高さは、１５００ｍｍ以下である点にある。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】